(57)【要約】【課題】取り扱いが容易で呼吸を利用して幼児から高齢者までの誰でもが楽に排便を行うことが可能で、安価で携帯可能な排便補助具を提供することである。【解決手段】一の端部が開口する開口部３と、他の端部が閉口する底部５とを備え、人が把持可能な円筒状の本体部２を有する排便補助具１であって、開口部３は丸みのある周縁部４を備えて人の口唇周部に当接可能に形成され、底部５は通気可能な孔部６が穿設され、開口部３に着脱可能に覆設される蓋部を備えるものである。【選択図】図１
0003158025.tif 000002
【実用新案登録請求の範囲】
【請求項１】
一の端部が開口する開口部と、他の端部が閉口する底部とを備え、人が把持可能な円筒状の本体部を有する排便補助具であって、前記開口部は人の口唇周部に当接可能に形成され、前記底部は通気可能な孔部が穿設されることを特徴とする排便補助具。
【請求項２】
前記開口部は、丸みのある周縁部を備えることを特徴とする請求項１に記載の排便補助具。
【請求項３】
前記開口部に着脱可能に覆設される蓋部を備えることを特徴とする請求項１又は請求項２に記載の排便補助具。
【請求項４】
前記本体部はプラスチック又は紙で形成されることを特徴とする請求項１乃至請求項３のいずれか１項に記載の排便補助具。
【考案の詳細な説明】
【技術分野】
【０００１】
本考案は、排便時に排便を容易に行えるように補助する排便補助具に関する。
【背景技術】
【０００２】
一般に、日常的な生理現象である排便においては、多くの人が便秘などによって排便が困難になるなど、何かしらトラブルを経験している。また、特に、高齢者においては排便時に力が入り過ぎて脳卒中を引き起こすという事故があったり、幼齢の子どもにおいては未熟さから排便に失敗することがあったりする。このような排便時の問題を解決するためにこれまでに様々な排便補助具が考えられている。
【０００３】
例えば、特許文献１には、「排便促進用ベルト」という名称で、腹部に巻着して大腸の横行結腸の部位を適当な圧力で締付けて大腸の血行を促進して排便を促すことができる排便促進用ベルトに関する発明が開示されている。
この特許文献１に開示された発明は、腹部に巻着可能で、腹部の膨張を制限して大腸の横行結腸の部位を押圧可能で、所定幅と所定長に形成されるベルト本体と、このベルト本体の端部に設置される面圧着ファスナーと、ベルト本体に設置され大腸の横行結腸の締付け強度を確認可能な目盛りとを有するものである。
そして、使用者は排便時に排便促進用ベルトを腹部に巻着して息んで腹部に力を入れると、排便促進用ベルトは腹部が膨張するのを制限して、大腸の横行結腸の部位を押し付けるので、無理なく排便を促すことができる。また、横行結腸の締付け強度を確認可能な目盛りを備えているので、この目降りを基準にして目視で確認しながら確実な排便を行うことができる。さらに、排便促進用ベルトには赤外線を放出する織物を設置することができ、赤外線を放出する織物の発熱によって大腸が温められて血行が良好となり、その結果、効果的な排便を行うことができる。
【０００４】
また、特許文献２には、「トイレ設備」という名称で、トイレの使用者の排便を促すとともに使用者の健康管理を行うことができるトイレ設備に関する発明が開示されている。
この特許文献２に開示された発明は、ユーザの身体の一部に接触する被接触部と、この被接触部にユーザの身体の一部が接触している状態で被接触部に作用する圧力を検出する圧力検出手段と、ユーザの排便を補助する排便補助装置と、圧力検出手段の検出結果に基づいて排便補助装置の動作制御を行う制御手段とを有するものである。
そして、被接触部は、例えば、便座の両側に設けられる一対の握り棒として設置され、使用者は排便時に握り棒を握った状態で息むと、握り棒に作用する圧力は握り棒用センサなどの圧力検出手段によって検出され、検出された圧力に応じてサーバなどの制御手段が、排便が困難であると判断すると排便補助装置を実行する。排便補助装置には、噴射装置や空調設備があり、噴射装置では肛門に水が噴き付けられるので使用者は便意と便通が促され、過度に息むことなく排便を行うことができる。また、空調設備では、トイレ内の室温が適切に調整されて使用者の身体負荷が低減され、より一層快適な排便を行うことができる。
【０００５】
また、マウスピースの一例としては、特許文献３には、「肺機能測定装置用マウスピースおよびその製造方法」という名称で、衛生管理が容易で安価な肺機能測定装置用マウスピースおよびその製造方法に関する発明が開示されている。
この特許文献３に開示された発明は、紙管で形成され、一の端部に偏平なくわえ部と他の端部に円型の接続部を備え、くわえ部から接続部にむけて順次円型になる形状に形成されるものである。
そして、一の端部のくわえ部は、断面形状が短形の成形型を挿入して外側から押圧具を用いて押圧することによって偏平な形状に形成することが可能であり、口にくわえ易く、また、唇とマウスピースの間から呼吸が漏れることを防止することができる。一方、他の端部は装置の接合部分に合致する円形状を保持することができる。したがって、従来のシリコンゴム製で可能であった形状を紙を用いて再現可能とし、使い捨て使用することで、繰返し使用する従来品における洗浄、消毒作業を省略することを可能としている。
【先行技術文献】
【特許文献】
【０００６】
【特許文献１】特開２００５−２１１１１３号公報
【特許文献２】特開２００９−２４３２１８号公報
【特許文献３】特開２００２−２０４７９２号公報
【考案の概要】
【考案が解決しようとする課題】
【０００７】
しかしながら、上述の従来技術である特許文献１に開示された発明は、身体に巻着する構造であるので自宅にいるときには利用しやすいが、持ち運びに不便なため外出時には利用しにくいという課題があった。
【０００８】
また、特許文献２に開示された発明は、噴射装置や空調設備などトイレの便器や室内に設置する必要があり、設備が大掛かりで設置費用が嵩むという課題があった。また、噴射設備は幼児には不向きであるという課題もあった。
【０００９】
そして、特許文献３に開示された発明は、口と特定の装置とを接続し、呼吸を装置まで送入するためのものであり、マウスピース自体が排便を促進させるような機能を保持するものではない。
【００１０】
本考案はかかる従来の事情に対処してなされたものであり、取り扱いが容易で呼吸を利用して幼児から高齢者までの誰でもが楽に排便を行うことが可能で、安価で携帯可能な排便補助具を提供することを目的とする。
【課題を解決するための手段】
【００１１】
上記目的を達成するため、請求項１記載の考案である排便補助具は、一の端部が開口する開口部と、他の端部が閉口する底部とを備え、人が把持可能な円筒状の本体部を有する排便補助具であって、開口部は人の口唇周部に当接可能に形成され、底部は通気可能な孔部が穿設されるものである。
このような構成の排便補助具によれば、本体部を把持し、開口部を口唇周部に当てると、開口部は口唇を覆うように作用し、そして、息を吐くと、底部の孔部は息を外部へ通気させるように作用する。
【００１２】
また、請求項２記載の考案は、請求項１記載の排便補助具において、開口部は、丸みのある周縁部を備えるものである。
このような構成の排便補助具においては、請求項１に記載の考案の作用に加えて、丸みのある周縁部を備えた開口部は人の口唇周部に優しく当接するという作用を有する。
【００１３】
そして、請求項３記載の考案は、請求項１又は請求項２に記載の排便補助具において、開口部に着脱可能に覆設される蓋部を備えるものである。
このような構成の排便補助具においては、請求項１又は請求項２に記載の考案の作用に加えて、蓋部は、装着時には、開口部や本体部内部を外部と遮断するという作用を有する。
【００１４】
最後に、請求項４記載の考案は、請求項１乃至請求項３のいずれか１項に記載の排便補助具において、本体部はプラスチック又は紙で形成されるものである。
このような構成の排便補助具においては、請求項１乃至請求項３のいずれか１項に記載の考案の作用に加えて、プラスチック又は紙が有する機能を付与するという作用を有する。
【考案の効果】
【００１５】
以上説明したように、本考案の請求項１に記載の排便補助具においては、本体部を把持して、開口部を口唇周部に当てて、息を吐くと、自然に下腹部に力が入り、排便を促進させることができる。また、呼吸という簡単な方法を利用しているので、幼児から高齢者まで幅広い人が簡便に使用することができる。そして、軽量且つコンパクトであるので、設置にも場所を取らず、携帯においても有利である。
【００１６】
また、本考案の請求項２に記載の排便補助具においては、丸みのある周縁部によって人の口唇周部を傷つけることなく、優しく当接させることができる。
【００１７】
そして、本考案の請求項３に記載の排便補助具においては、蓋部を備えて開口部や本体部内部を外部と遮断するので、開口部や本体部内部を衛生的に保持することが可能であり、不使用時や携帯時にさらに便利となる。
【００１８】
最後に、本考案の請求項４に記載の排便補助具においては、本体部をプラスチックで形成すると、軽量で強度を備えて、繰返し使用が可能となり、一方、紙で形成すると、使い捨てる形態となるが、衛生面に配慮されたものとなる。
【図面の簡単な説明】
【００１９】
【図１】（ａ）は本考案の第１の実施の形態に係る排便補助具の概念図であり、（ｂ）は同じく排便補助具の底面図である。
【図２】本考案の第２の実施の形態に係る排便補助具の概念図である。
【考案を実施するための形態】
【００２０】
以下に、本考案に係る排便補助具の第１の実施の形態を図１を参照しながら説明する（請求項１、請求項２及び請求項４に対応）。
図１（ａ）は本考案の第１の実施の形態に係る排便補助具の概念図であり、（ｂ）は同じく排便補助具の底面図である。
図１（ａ）において、排便補助具１は、円筒形状の本体２で構成され、本体２の一の端部には開口した開口部３と、他の端部には閉口した底５を備えている。また、開口部３の縁には丸みのある周縁部４が形成されている。そして、図１（ｂ）に示すように、底５の略中央には通気孔６が穿設されている。
【００２１】
開口部３は、使用者の口唇を覆って口唇周部に当接させるために開口しており、開口部３の縁に形成される丸みのある周縁部４は、口唇周部に滑らかに接触し、使用者が違和感なく自分の肌と周縁部４とを接触させることができるとともに、使用者の皮膚を傷つけることを防止している。また、丸みのある周縁部４は、使用者が口唇周部に押し当てた際に吐息の漏洩を防止可能にしている。なお、周縁部４の形状は、皮膚を損傷しにくい形状であれば特に限定されるものではなく、また、省略することもできる。
また、排便補助具１の本体２は、プラスチックや紙などで形成することができる。プラスチックや紙はいずれも入手しやすく、形成も容易で軽量な材料であり、安価に製造することができる。特に、プラスチックを用いると、軽量で丈夫な構成となり、ガラスや陶器のように落下して破損したりする危険度が低い上に、洗浄すると繰り返し使用可能であるので、経済面において優れている。但し、薄肉に形成して使い捨ての形態にすることもできる。一方、紙を用いると、使い捨ての形態になるが、衛生的であり、公衆トイレや不特定多数が使用する医療施設などのトイレへの設置には好適である。なお、紙を用いる場合、気密に構成する必要がある。また、撥水加工を施して耐水性を向上させるようにしてもよい。また、紙やプラスチックに抗菌機能を有する材料を塗布したり、原料に混合したりして抗菌処理を施すことも可能である。
そして、本体２の開口部３の直径は、大人の口唇周部を覆う、例えば、５０ｍｍにし、本体２の長さは大人が把持しやすい、例えば、１００ｍｍ程度に設定するとよい。但し、本体２の大きさは、大柄な男性や小柄な女性や幼児など、使用者の体型に合わせて自由に設定にでき、特に限定されるものではない。
また、底５の通気孔６は、使用者が本体２に吐きこんだ息の一部を外部に通気
させる役割を担うものであり、その直径ｄは底５の直径Ｄに対して、ｄ≦ｋＤ（ｋ＝０．０４）とする。このような径であれば、吐息の一部は排便補助具の外部に漏えいさせることで、本体２の内部に排便のために下腹部への力を出すための圧力を、過度ではなく適度に維持することを促進してくれるのである。
【００２２】
次に、使用方法について、説明する。
使用者は、便意を感じたりして排便を行おうとする場合に排便補助具１を使用する。使用者は、便所内で洋式便器の便座に腰掛けた状態で、本体２の周部を把持し、開口部３が口唇を覆うように周縁部４を口唇周部に当接させる。そして、本体２に向けて口から息を吐出する。使用者が口から息を吐出すると、自然に下腹部に力が入るが、この下腹部に入る力によって、便意が促進され、強く息むことなく楽に排便を行うことができる。また、本体２内に吐出された息は、本体２内で滞留しながらその一部が底５の通気孔６から外部に排出されて抜け、また、強く息む必要もないので、使用者は鼻から息が抜けることがなく、効果的に口呼吸によって下腹部へ力を作用させることができる。
このように本実施の形態では、使用者の口元に排便補助具１を当接させて、意識的に口で呼吸して下腹部へ力を入れることができるので、幼齢の子どもでも便秘などの困難な排便時に、付き添いの保護者の指示に従って容易に排便を行うことができる。また、高齢者においては、強く息むことを回避できるので、排便時の脳卒中などの発症を防止することに役立つ。また、排便時以外にも、出産時の呼吸を整える道具として排便補助具１を利用することもできる。なお、洋式便器を用いての使用例について説明したが、和式便器においても使用可能である。
【００２３】
次に、本考案に係る排便補助具の第２の実施の形態を図２を参照しながら説明する（特に、請求項３に対応）。
図２は、本考案の第２の実施の形態に係る排便補助具の概念図である。
図２において、排便補助具７は、本体８の開口部に覆設される蓋９を備えている。蓋９は本体８の開口部に対して着脱可能に設けられており、排便補助具７の使用時には外し、不使用時には取り付けておくことができる。蓋９を取り付けておくと、本体８の内部は外部からほぼ遮断されるので、本体８の内部にちりやごみが入ったり、開口部を汚したりすることなく、排便補助具７を衛生的に保持することができる。特に、携帯時にかばんなどに入れておく際に開口部が汚染されることなく便利である。また、図示していないが、本体８と蓋９とを紐や鎖などで繋いでおくことも可能であるし、たとえばプラスチックで本体８と蓋９を構成して、その間を同じくプラスチック製の細長い接続部材として一体に形成することも可能である。紐や鎖などで繋いだり一体に構成することで、蓋９が紛失することを防止し、また、排便補助具７の使用時には外した蓋９は本体８にぶら下がっているので、蓋９の置き場所を探す必要がなくさらに便利になる。
【産業上の利用可能性】
【００２４】
以上説明したように、請求項１乃至請求項４に記載された本考案は、取り扱いが容易で強く息まなくても誰でも簡単に排便を行える排便補助具を提供可能であり、一般家庭や医療施設などにおいて利用可能である。
【符号の説明】
【００２５】
１…排便補助具  ２…本体  ３…開口部  ４…周縁部  ５…底  ６…通気孔  ７…排便補助具  ８…本体  ９…蓋
【図１】
0003158025.tif 000003
【図２】
0003158025.tif 000004